(57)【特許請求の範囲】
【請求項１】
釣り糸（２）が包装材（３）にて密封包装され、且つ、前記包装材（３）の内側には乾燥剤（９）が入れられてなる釣り糸包装体であって、
前記釣り糸（２）は、半径方向の区画壁（８）によって区画された凹部（６）を形成したスプール（１）に巻回され、前記乾燥剤（９）は、凹部（６）に合った形状に成形されて凹部（６）内に嵌入されてなることを特徴とする釣り糸包装体。
【請求項２】
前記包装材（３）が紫外線を遮断可能な合成樹脂フィルムである請求項１記載の釣り糸包装体。
【請求項３】
前記スプール（１）は、紫外線を遮断可能な合成樹脂から形成されている請求項１又は２記載の釣り糸包装体。
【請求項４】
前記スプール（１）は、中心軸方向両端に半径方向に突出したフランジ部（４）（４）を形成したものであり、
該両フランジ部（４）（４）間には、切欠部（１４）を有して伸縮自在とされ、且つ、紫外線を遮断可能な合成樹脂から形成されているリング状のストッパー（１５）が釣り糸（２）を覆うように設けられている請求項１乃至３のいずれか一項に記載の釣り糸包装体。
【発明の詳細な説明】
【０００１】
【発明の属する技術分野】
本発明は釣り糸が包装材で包装された釣り糸包装体に関する。
【０００２】
【従来の技術】
従来、釣り糸は、一般にスプールに所定長さ巻回された状態で流通販売されており、例えば、スプールをそのまま積み重ねたり、スプールの中心に設けられた貫通孔を陳列用の吊下棒に挿入したりして店頭に陳列されていた。
【０００３】
【発明が解決しようとする課題】
しかるに、釣り糸が常に露出しているので、外気や湿気あるいは光学的要因等の外的要因によって釣り糸が経時劣化する可能性があった。
また、透明のプラスチックシートから形成した包装ケースにスプールを収容して陳列する場合もあるが、該包装ケースも密封されておらず、ラベルの貼着スペースや印刷スペースの確保等の陳列時におけるディスプレイ性や商品広告のため、若しくは外傷防止を目的としたものであり、釣り糸の劣化防止という観点の配慮はなされていなかった。
【０００４】
そこで本発明は、上記従来の問題点に鑑みて、流通過程における釣り糸の劣化を防止することを課題とする。
【０００５】
【課題を解決するための手段】
本発明は、上記課題を解決すべくなされたものであり、本発明に係る釣り糸包装体は、釣り糸２が包装材３にて密封包装され、且つ、前記包装材３の内側には乾燥剤９が入れられてなる釣り糸包装体であって、前記釣り糸２は、半径方向の区画壁８によって区画された凹部６を形成したスプール１に巻回され、前記乾燥剤９は、凹部６に合った形状に成形されて凹部６内に嵌入されてなることを特徴とする。
【０００６】
該釣り糸包装体では、釣り糸２が密封包装されているので、釣り糸２が外気と遮断された状態となり、包装材３が外気、特に空気中の水分から釣り糸２を保護する。しかも、包装材３の内側には乾燥剤９が入れられているので、包装体内の水分も該乾燥剤９で吸湿され、包装体内が常に乾燥状態に維持されることとなる。
【０００７】
また、スプール１に巻回された釣り糸２をスプール１ごと包装材３で密封包装することにより、乾燥剤９をスプール１に内蔵した状態にして密封包装することができる。このように内蔵することにより、包装体自体の体積を乾燥剤９を入れない場合と同体積にでき且つ外観体裁も良好となる。
【０００８】
【発明の実施の形態】
以下、本発明に係る釣り糸包装体の一実施形態について、図１及び図２を参酌しつつ、スプール１に所定長さ巻回された釣り糸２がスプール１ごと包装フィルム３（包装材）で密封包装された釣り糸包装体について説明する。
【０００９】
まず、包装されているスプール１について説明すると、図１は、スプール１の中心軸方向裏面側（包装体の裏面側）から見た斜視図であり、該スプール１は、合成樹脂から透明又は半透明に成型により形成されたもので、全体として薄型円柱状に形成され、その中心軸方向両端には半径方向に突出したフランジ部４が形成され、図２の如く、両フランジ部４，４間の外周部５に前記釣り糸２が巻回されてなる。また、スプール１の裏面側には凹部６、詳細には、略扇状の凹部６が中央の貫通孔７を中心としてその回りに六ヶ所均等に形成されてなり、各々の凹部６を区画する半径方向の区画壁８はリブとして機能している。そして、各々の凹部６にはシリカゲルや塩化カルシウム等の乾燥剤９が入れられており、該乾燥剤９も略扇状に形成されて凹部６に嵌入されてなる。
【００１０】
かかるスプール１が釣り糸２と共に一体的に前記包装フィルム３にて密封包装されている。該包装フィルム３は、内部が目視確認可能なように透明又は半透明な合成樹脂フィルムから略方形状に形成され、周囲が接着されて密封状態となっており、内部は脱気若しくは真空状態となっている。尚、上部接着部１０には吊下用孔１１が形成され、スプール１の表側にはラベルＡが貼着されてなる。
【００１１】
以上のように、密封包装されているので、外気との接触が遮断されて空気中の水分を釣り糸２が吸収して強度低下を起こす等の劣化を確実に防止できる。しかも、内部に乾燥剤９が入れられているので、内部に僅かに残った空気中の水分や包装フィルム３を僅かに通過した水分（水蒸気）もこの乾燥剤９にて吸収されるので、包装体内が常に乾燥状態に維持され、釣り糸２を初期状態に長期間維持できる。特に、ナイロン系の釣り糸２の場合に効果が大きい。従って、安心して購入でき、購入後の保存も安心であり、且つ、釣りに際しても釣り糸２の劣化によるラインブレイクを心配する必要がなくなる。
【００１２】
更に、乾燥剤９がスプール１の裏側の凹部６に内蔵されてなるので、包装体内にスプール１と独立して乾燥剤９を入れる場合に比して、包装体自体の体積を減少できるうえに、包装体を表側から見ても乾燥剤９が見えないなど、外観上も良好となる。
【００１３】
尚、乾燥剤９をスプール１に内蔵させる参考例としては、上記のように乾燥剤９を凹部６に合った形状に成型しないで、例えば、図３の如く、粒状の乾燥剤９を用い、前記凹部６に各々粒状の乾燥剤９を入れて裏蓋１２で閉塞し、乾燥剤９の吸湿効果を確保すべく、凹部６と連通する複数の連通孔１３を外周部５に形成する。
【００１４】
更に、紫外線を遮断可能な合成樹脂フィルムを包装フィルム３として使用することも可能であり、これにより、紫外線による釣り糸２の劣化を防止でき、特にフロロカーボン系の釣り糸２に効果があり、材質として例えばポリ塩化ビニリデン、ポリカーボネート、ポリエステル、ポリスチレン等を採用できる。また、ベンゼン核を含んだ紫外線吸収剤を添加してフィルムとしたものや、接着剤に紫外線吸収剤（ウレタン系接着剤等）を加えてラミネートフィルムにしたもの、あるいは、透明性のある紫外線遮断剤（０．０１〜０．０５μｍの粒径の超微粒子酸化チタン、超微粒子酸化亜鉛等）を使用することもできる。
【００１５】
何れにしても、紫外線を遮断可能な包装フィルム３を用いる場合には、包装した釣り糸２を外部から目視確認できるようにする必要があるので、透明性と紫外線遮断性を併せ持つ合成樹脂フィルムを採用する必要がある。特に、紫外線吸収剤を添加したポリ塩化ビニリデンを採用すれば、透明性と紫外線遮断性に加えて、外部からの水蒸気の侵入をも防止するガスバリアー性も得られる。無論、ポリエチレンビニルアルコールを用いてもよく、ガスバリアー性を有する合成樹脂フィルムを用いることにより、上記乾燥剤９をなくすことも可能である。また、内層をシーラントフィルムとしたラミネートフィルムを用いれば、透明性や紫外線遮断性とヒートシール性を両立させることもできる。
【００１６】
また、スプール１自体を紫外線を遮断可能な合成樹脂（ポリカーボネート等）から成型により形成することも可能であり、更に、図４のように、釣り糸２の外周側に切欠部１４を有して拡縮自在なリング状のストッパー１５を両フランジ部４，４間に設けた場合には、該ストッパー１５も紫外線を遮断可能な合成樹脂から形成することが好ましく、これにより、切欠部１４から釣り糸２を確認できるうえに、スプール１とストッパー１５とによって釣り糸２が紫外線から保護される。また、紫外線保護の目的のみなら、包装材で包装しなくとも、例えば、図４のようにスプール１のまま流通させることも可能である。但し、スプール１やストッパー１５で紫外線を遮断する場合でも、包装材で密封包装して釣り糸２を空気中の水分から保護することが好ましい。
【００１７】
更に、包装フィルム３の形状自体も図１のような正面視略矩形のものに限定されず適宜設計変更可能であり、例えば、図５のように釣り糸２が巻回されたスプール１の外形に密着するよう真空包装するものであってもよい。
【００１８】
また、包装材も包装フィルム３以外に図６のような合成樹脂シートからなる透明ケース１６を採用することも可能である。
【００１９】
【発明の効果】
以上のように、本発明に係る釣り糸包装体にあっては、密封包装による外気との遮断と乾燥剤による吸湿の相乗効果により、外気との接触による劣化、特に空気中の水分を釣り糸が吸収してその強度が低下するという経時劣化を確実に防止でき、初期性能を長期間維持することができる。また、購入時における買い手の不安感も払拭でき、購入後においても、より一層長期間の保存が可能となり、且つ安心して釣りを行うことができる。
【図面の簡単な説明】
【図１】  本発明の一実施形態における釣り糸包装体を示す斜視図。
【図２】  同実施形態における釣り糸が巻回されたスプールを示す要部断面図。
【図３】  参考例におけるスプールを示す破断線を含む斜視図。
【図４】  他実施形態における釣り糸が巻回されたスプールを示す斜視図。
【図５】  他実施形態の釣り糸包装体を示し、（イ）は斜視図、（ロ）は（イ）のＰ−Ｐ断面図。
【図６】  他実施形態の釣り糸包装体を示す斜視図。
【図１】
0004272292.tif 000002
【図２】
0004272292.tif 000003
【図３】
0004272292.tif 000004
【図４】
0004272292.tif 000005
【図５】
0004272292.tif 000006
【図６】
0004272292.tif 000007